(57)【要約】  キャップ等の脱蓋操作とは独立して、容器内で二種の薬剤の混合操作を行うことができる用時混合容器を提供する。  筒部１１と、筒部内面に起立連設され筒部を上下二室に仕切る有頂筒状の内筒１３と、内筒の天面１３ａに穿設された第一開口部１３ｂを有し、下室に第一薬剤Ａが収容されてなる可動体１と、可動体の上室に密嵌入して可動体に対し回転可能に組付けられる嵌着筒部３１と、嵌着筒部内面に設けられ可動体の内筒の天面に密着する隔壁面３５と、第一開口部と重ならないように隔壁面に穿設された第二開口部３５ａを有するアダプタ３と、アダプタの上室に密嵌入してアダプタに対し回転不能に組付けられる下口筒部４２を有し、第二薬剤Ｂが収容されてなる容器本体４とを備え、容器本体に対して可動体を相対回転させたときに、第一開口部と第二開口部とが重なるように構成されている。
2010122981.tif 000002
【特許請求の範囲】
【請求項１】
有底筒状の筒部と、該筒部内面から周方向内側に起立連設され、該筒部の内部空間を上下二室に仕切る有頂筒状の内筒と、該内筒の天面に穿設された第一開口部を有し、該下室に第一薬剤が収容されてなる可動体と、
該可動体の上室に密嵌入して、該可動体に対し回転可能に組付けられる中空筒状の嵌着筒部と、該嵌着筒部内面に設けられ、該可動体に組付けられた状態で、該可動体の内筒の天面に密着する隔壁面と、前記第一開口部と重ならないように該隔壁面に穿設された第二開口部を有するアダプタと、
該アダプタの隔壁面上面と嵌着筒部内面とで囲まれる上室に密嵌入して、該アダプタに対し回転不能に組付けられる下口筒部を有し、第二薬剤が収容されてなる容器本体と、
を備え、
前記容器本体に対して前記可動体を相対回転させたときに、該可動体の第一開口部と該アダプタの第二開口部とが重なるように構成されていることを特徴とする、前記第一薬剤と前記第二薬剤とを用時に混合し得る用時混合容器。
【請求項２】
前記アダプタの嵌着筒部が平面視で円弧状の大径部と小径部を備え、該アダプタの嵌着筒部が前記可動体の上室に組付けられた状態で、該嵌着筒部の大径部と小径部はそれぞれ該可動体の筒部内面と離間して空隙が生じるように構成されており、
前記可動体の筒部内面には、該筒部内面と前記大径部との間の離間距離を超える高さを有するが、該筒部内面と前記小径部との間の離間距離を超えない高さを有する縦条が設けられ、該縦条が該小径部と向き合うように構成されている、請求項１記載の用時混合容器、
【請求項３】
前記容器本体に対して前記可動体を相対回転させ、該可動体の筒部内面に設けられた縦条が嵌着筒部の小径部と大径部の境界部分に達したときに前記第一開口部と前記第二開口部とが重なるように構成されている、請求項２記載の用時混合容器。
【発明の詳細な説明】
【技術分野】
【０００１】
本発明は一の容器内に二種の薬剤を分離した状態で保存し、使用時にこれらを容器内部で混合して注出使用する用時混合容器に関するものである。
【背景技術】
【０００２】
点眼液等の薬剤には混合された状態や溶解された状態では化学的に不安定な薬剤が多く、このような薬剤を使用する場合、使用直前に混合操作を行わなければならない。このような二種の薬剤を分離した状態で保存し、使用時にこれらを容器内で混合して注出使用する容器として用時混合容器がある。【０００３】
用時混合容器としては、例えば、開口部を有する一の部材と開口部を有する他の部材を、開口部同士を合わせないで摺動可能に嵌合したものを隔離部材として、一の薬剤と他の薬剤を分離した状態でそれぞれ第一容体と第二容体に収容し、上記隔離部材の摺動操作により開口部同士を合わせて二種の薬剤を混合する方式を採用する容器が知られている（特許文献１参照）。
【先行技術文献】
【特許文献】
【０００４】
【特許文献１】特許第３２２８３７６号公報
【発明の概要】
【発明が解決しようとする課題】
【０００５】
しかしながら、特許文献１の用時混合容器では、二種の薬剤を混合するときに脱蓋操作を伴うので、例えば、誤って容器を逆さにした状態で脱蓋操作を行うと、薬剤をこぼしてしまうという懸念がある。したがって、このような誤操作がされた場合でも、二種の薬剤を混合するには、脱蓋操作とは独立した混合方式を採用する必要がある。【０００６】
本発明は、上記事情に鑑みてなされたものであり、その主たる目的は、キャップ等の脱蓋操作とは独立して、容器内で二種の薬剤の混合操作行うことができる用時混合容器を提供することにある。
【課題を解決するための手段】
【０００７】
すなわち、本発明の要旨は以下のとおりである。
〔１〕  有底筒状の筒部と、該筒部内面から周方向内側に起立連設され、該筒部の内部空間を上下二室に仕切る有頂筒状の内筒と、該内筒の天面に穿設された第一開口部を有し、該下室に第一薬剤が収容されてなる可動体と、
該可動体の上室に密嵌入して、該可動体に対し回転可能に組付けられる中空筒状の嵌着筒部と、該嵌着筒部内面に設けられ、該可動体に組付けられた状態で、該可動体の内筒の天面に密着する隔壁面と、前記第一開口部と重ならないように該隔壁面に穿設された第二開口部を有するアダプタと、
該アダプタの隔壁面上面と嵌着筒部内面とで囲まれる上室に密嵌入して、該アダプタに対し回転不能に組付けられる下口筒部を有し、第二薬剤が収容されてなる容器本体と、
を備え、
前記容器本体に対して前記可動体を相対回転させたときに、該可動体の第一開口部と該アダプタの第二開口部とが重なるように構成されていることを特徴とする、前記第一薬剤と前記第二薬剤とを用時に混合し得る用時混合容器、
〔２〕  前記アダプタの嵌着筒部が平面視で円弧状の大径部と小径部を備え、該アダプタ
の嵌着筒部が前記可動体の上室に組付けられた状態で、該嵌着筒部の大径部と小径部はそれぞれ該可動体の筒部内面と離間して空隙が生じるように構成されており、
前記可動体の筒部内面には、該筒部内面と前記大径部との間の離間距離を超える高さを有するが、該筒部内面と前記小径部との間の離間距離を超えない高さを有する縦条が設けられ、該縦条が該小径部と向き合うように構成されている、前記〔１〕記載の用時混合容器、
〔３〕  前記容器本体に対して前記可動体を相対回転させ、該可動体の筒部内面に設けられた縦条が嵌着筒部の小径部と大径部の境界部分に達したときに前記第一開口部と前記第二開口部とが重なるように構成されている、前記〔２〕記載の用時混合容器。
【発明の効果】
【０００８】
本発明の用時混合容器によれば、容器本体とアダプタとが相対回転不能に組付けられ、アダプタと可動体とが相対回転可能に組付けられており、容器本体に対して可動体を相対回転させるだけで二種の薬剤が混合されるので、キャップ等の脱蓋操作とは独立して、容器内で二種の薬剤の混合操作を行うことができる
【図面の簡単な説明】
【０００９】
【図１】本発明の一実施例を示す用時混合容器の分解斜視図である。
【図２】図１に示す実施例の断面説明図である。
【図３】図１の可動体について、（１）平面図と（２）Ａ−Ａ線断面図及び（３）底面図である。
【図４】図１のアダプタについて、（１）平面図、（２）正面図、（３）底面図及び（４）Ｂ−Ｂ線断面図である。
【図５】図１の容器本体について、（１）正面図と（２）Ｃ−Ｃ線断面図である。
【図６】混合操作するときの説明図であり、（１）が混合操作前、（２）が混合操作後の状態を示す図である。
【発明を実施するための形態】
【００１０】
以下、図面を参照しつつ本発明の実施例を説明する。図１〜図６は本発明の実施例を示すものであり、本発明の用時混合容器は底蓋、可動体、アダプタ、容器本体、ノズルおよびキャップが一体に組み付けられて構成されている。
【００１１】
可動体１は合成樹脂製の射出成形品で、図１〜図３に示すように、円筒状の筒部１１と、筒部１１内面から周方向内側に、やや上方に傾斜して周設された内鍔１２と、内鍔１２から起立連設された有頂短円筒状の内筒１３を備え、内筒１３の天面１３ａには第一開口部１３ｂが穿設されているとともに、筒部１１の下端開口部の内面には係止用溝条１４が周設されている。底蓋２は合成樹脂製の射出成形品で、図１と図２に示すように、短円筒状の嵌入筒部２１の下端に嵌入筒部２１の下端開口部を塞ぐ底板２２を設けるとともに、底板２２の周縁には半径方向外側に外鍔２３が突出形成されている。
【００１２】
そして、底蓋２の嵌入筒部２１が可動体１の筒部１１の下端開口部内面に密嵌入するとともに、底蓋２の外鍔２３が可動体１の係止用溝条１４に嵌合することで底蓋２が可動体１に嵌着されている（図２参照）。可動体１の内鍔１２と内筒１３は、図３に示すように、筒部１１の内部空間を上下二室に仕切る仕切り部を構成しており、仕切り部の上側の上室を構成する筒部１１内面には、４本の係止突条１５が周方向に沿って連設されるとともに、向かい合う２本の係止突条１５のほぼ中央部から上方に向けて位置決め突条１６（１６ａ，１６ｂ）が突設されている。そして、仕切り部の下側の下室には第一薬剤Ａが収容されている。
【００１３】
アダプタ３は合成樹脂製の射出成形品で、図１，図２および図４に示すように、中空円
筒状の嵌着筒部３１を主要部材とし、嵌着筒部３１の外径は可動体１の上室を構成する筒部１１の内径よりもやや小径に寸法設計されている。嵌着筒部３１の外面には、嵌着筒部３１のほぼ半周程度の長さを有する２つの係止突条３２が嵌着筒部３１を周回するように連設されており、アダプタ３が可動体１の上室に密嵌入した状態では、これらの係止突条３２が可動体１の係止突条１５に軸線方向に係止されることで、アダプタ３は可動体１に対して嵌脱不能かつ回転可能に組付けられている。なお、アダプタ３を可動体１に組付ける際には、２つの係止突条３２，３２の間の間隙溝部３２ａ，３２ｂをそれぞれ可動体１の位置決め突条１６ａ，１６ｂに嵌合し、この位置決め突条１６ａ，１６ｂに沿ってアダプタ３を下方に押し込むようにすればよい。
【００１４】
一方、嵌着筒部３１内面には、上端開口部を始端として縦方向の係止縦条３３が周方向に沿って一定間隔で多数突設されているとともに、各係止縦条３３の終端には係止用の係止突部３４が突設されている。そして、係止突部３４の下方には、嵌着筒部３１の内部空間を上下二室に仕切る隔壁面３５が設けられており、隔壁面３５の周縁には嵌着筒部３１より小径の短円筒状の密栓筒部３６が立設されているとともに、隔壁面３５のうち密栓筒部３６の内側には、第二開口部３５ａが穿設されている。この第二開口部３５ａは、アダプタ３が可動体１に組付いた状態では、可動体１の第一開口部１３ｂと重ならないように配置されているが、アダプタ３に対して可動体１を摺動して軸心周りに回転させたときに第一開口部１３ｂと重なる位置に設けられている。そして、アダプタ３と可動体１とは、図２に示すように、アダプタ３の隔壁面３５とそれより下側の嵌着筒部３１が可動体１の内筒１３に外嵌して液密に密着した状態で組付いている。
【００１５】
容器本体４は合成樹脂製のブロー成形品で、図１，図２および図５に示すように、第二薬剤Ｂが収容されており、筒状の胴部４１の下端に肩部を介して下口筒部４２が起立連設されるとともに、胴部４１の上端に肩部を介してネジ部４３ａが刻設された上口筒部４３が起立連設されている。下口筒部４２の外面には、縦方向の係止縦条４２ａが周方向に等間隔で４本突設されるとともに、下口筒部４２の下端外面には周突条４２ｂが周設されている。下口筒部４２がアダプタ３の隔壁面３５上面と嵌着筒部３１内面とで囲まれる上室に密嵌入した状態では、図２に示すように、下口筒部４２の係止縦条４２ａが嵌着筒部３１内面の係止縦条３３と係止縦条３３の間に嵌合することで、容器本体４とアダプタ３は相互に回転不能に組付くとともに、下口筒部４２の周突条４２ｂが嵌着筒部３１内面の係止突部３４に軸線方向に係止されることで、容器本体４とアダプタ３は嵌脱不能に組付けられている。
【００１６】
ノズル５は合成樹脂製の射出成形品で、図１と図２に示すように、容器本体４の上口筒部４３の上端開口部内面に密嵌入される短円筒状の密栓筒部５１と、密栓筒部５１の上端開口部を塞ぐとともに、密栓筒部の半径方向外側に突出形成され、容器本体４の上口筒部４３の上端開口部端面に液密に密接する外鍔５２ａを有する天面５２と、天面５２の中心部に膨出形成されたノズル部５３を備えている。ノズル部５３の頂部には注出口５３ａが設けられ、注出口５３ａはノズル部５３の頂部から天面５２に達する逆円錐台形状の口壁を凹設した構成とされており、天面５２のうち、ノズル部５３の注出口５３ａ下端に穿設された注出孔５３ｂにより密栓筒部５１の内部空間に連通するようになっている。
【００１７】
キャップ６は合成樹脂製の射出成形品で、図１と図２に示すように、天面６１と、天面６１の周縁から下方に緩やかに拡径するテーパー筒状の上筒体６２と、上筒体６２から肩部を介して下方に緩やかに拡径するテーパー筒状の下筒体６３とからなり、下筒体６３内面には容器本体４の上口筒部４３に設けられたネジ部４３ａに螺着するネジ部６３ａが設けられるとともに、天面６１の下面には注出口５３ａの開口縁に液密に密接する凸部６１ａが設けられている。また、下筒体６３の外面には滑り止め用のローレット６４が形成されている。
【００１８】
すなわち、本発明の用時混合容器は底蓋２、可動体１、アダプタ３、容器本体４、ノズル５およびキャップ６が一体に組み付けられてなり、可動体１の内筒１３の天面１３ａとアダプタ３の隔壁面３５を隔壁として、可動体１の下室に第一薬剤Ａが収容されるとともに、容器本体４に第二薬剤Ｂが収容されている。そして、上記各部材の相互の回転可能性について見ると、可動体１とアダプタ３とが相互に相対回転可能に組付けられ、アダプタ３と容器本体４とが相互に相対回転不能に組付けられている。
【００１９】
本発明の用時混合容器を使用する際には、第一薬剤Ａと第二薬剤Ｂとの混合操作、および混合された混合液の注出操作を要する。前者については、図６（１）に示すように、容器を上下逆さに向けて、容器本体４を把持した状態で第一開口部１３ｂが第二開口部３５ａに重なるまで可動体１を反時計方向に回転させる。すると、図６（２）に示すように、可動体１に収容されていた第一薬剤Ａが容器本体４に落下して、これにより第一薬剤Ａと第二薬剤Ｂとの混合が達成される。次に、混合液を注出する際には、容器を本来の上下方向に戻し、キャップ６を螺脱して容器を上下逆さに向けることにより、混合液が注出孔５３ｂを通過して注出口５３ａから注出される。すなわち、本発明では第一薬剤Ａと第二薬剤Ｂとの混合操作は注出操作と独立して行うことができる。
【００２０】
本実施例においては、図４に示すように、アダプタ３の嵌着筒部３１外面のうち、係止突条３２から下側は平面視で略円弧状の大径部３１ａと小径部３１ｂが形成されており、アダプタ３の嵌着筒部３１が可動体１の上室に組付けられた状態では、嵌着筒部３１の大径部３１ａと小径部３１ｂはそれぞれ可動体１の筒部１１内面と離間して空隙が生じるように構成されている。また、可動体１の筒部１１内面には、図２と図３に示すように、筒部１１内面と大径部３１ａとの間の離間距離を超える高さを有するが、筒部１１内面と小径部３１ｂとの間の離間距離を超えない高さを有する縦方向の縦条１７が突設され、この縦条１７が小径部３１ｂと向き合うように構成されている。このような構成とすることで、可動体１の筒部１１内面の縦条１７を大径部３１ａに乗り上げさせて回転させることが困難になるので、縦条１７を常に小径部３１ｂと向き合うように保持することができる。
【００２１】
また、本実施例では、アダプタ３の小径部３１ｂの周方向一端側付近と他端側付近にそれぞれ突条３１ｃ，３１ｄを縦方向に設けて、小径部３１ｂの周方向一端側付近の突条３１ｃと大径部３１ａの周方向他端部（図４（３）では、大径部の右端部）の間、および小径部３１ｂの周方向他端側付近の突条３１ｄと大径部３１ａの周方向一端部（図４（３）では、大径部の左端部）の間にそれぞれ係止溝条３１ｅ，３１ｆを形成させている。
【００２２】
そこで、容器の製造にあたり、アダプタ３の嵌着筒部３１を可動体１の上室に密嵌入させる際に、回転開始位置に相当するアダプタ３の係止溝条３１ｅを可動体１の筒部１１内面の縦条１７に嵌合させてアダプタ３を可動体１に組付けるようにすれば、混合操作時に容器本体４に対して可動体１を図６（１）の矢印方向に相対回転させ、縦条１７が突条３１ｃを乗り越えて小径部３１ｂを通過し、次いで突条３１ｄ乗り越えて係止溝条３１ｆに係合したときにそれ以上回転させることができないので、回転操作が終了する。すなわち、係止溝条３１ｅと３１ｆはそれぞれ回転の開始と終了を示す位置決めの役割を果たす。さらに、本実施例では、回転終了時に第一開口部１３ｂと第二開口部３５ａとが重なるように構成されているので、使用者は確実に混合操作を行うことができる。
【００２３】
上記各部材に使用する合成樹脂の種類は特に限定されず、例えば、低密度ポリエチレン（ＬＤＰＥ）、直鎖状低密度ポリエチレン（ＬＬＤＰＥ）、高密度ポリエチレン（ＨＤＰＥ）、ポリプロピレン（ＰＰ）等を適宜組み合わせて用いることができる。特に各部材間の液密性を高めるため、底蓋２と可動体１との間の液密性を高めるためには、底蓋２にＬＤＰＥまたはＬＬＤＰＥを用い、可動体１にＨＤＰＥを用いることが望ましい。また、可
動体１とアダプタ３との間の液密性を高めるためには、可動体１にＨＤＰＥを用い、アダプタ３にＰＰを用いることが望ましい。本発明者らが検討した結果、総合的にみて各部材間の液密性が最も高くなる合成樹脂の組み合わせは、底蓋がＬＬＤＰＥ、可動体がＨＤＰＥ、アダプタがＰＰ、容器本体がＰＰ、ノズルがＬＤＰＥ、キャップがＰＰを使用した場合である。
【００２４】
以上図１〜図６に基づいて本発明の実施形態を説明したが、各部材の形態は本発明の要旨を逸脱しない範囲で適宜変更可能である。例えば、上記実施形態では第一薬剤Ａと第二薬剤Ｂの隔壁として天面１３ａと隔壁面３５を用い、それぞれに第一開口部１３ｂと第二開口部３５ａを設けたが、混合前に上下の隔壁に設けた開口部が互いに重ならず、第一薬剤Ａと第二薬剤Ｂが分離されている限り、上下の隔壁の開口部を複数設けることもできる。
【実施例】
【００２５】
表１に示す合成樹脂を用いて本発明の容器の構成部材を製造し、可動体および容器本体に薬液を充填して製品状態に組付けた試験サンプル（Ａ〜Ｄ）を用意し、これらの試験サンプルの各構成部材間の液密性を評価した。液密性の評価は、試験サンプルを常圧より７０ＫＰａ減圧した状態で横転放置し、１０分後に常圧に戻した後、各構成部材の嵌合部の隙間からの液漏れの有無を目視にて確認することにより行った。なお、試験サンプルは図１〜図６に準じた形状で、全高を１００ｍｍ、可動体の筒部の直径を２２ｍｍとしたものを使用した。表２に結果を示す。【００２６】
【表１】
2010122981.tif 000003
【００２７】
【表２】
2010122981.tif 000004
【産業上の利用可能性】
【００２８】
本発明は、キャップ等の脱蓋操作とは独立して、容器内で二種の薬剤の混合操作を行うことができる用時混合容器として広く適用可能である。
【符号の説明】
【００２９】
１  可動体
３  アダプタ
４  容器本体
１１  筒部
１３  内筒
１３ａ  天面
１３ｂ  第一開口部
１７  縦条
３１  嵌着筒部
３１ａ  大径部
３１ｂ  小径部
３５  隔壁面
３５ａ  第二開口部
４２  下口筒部
Ａ  第一薬剤
Ｂ  第二薬剤
【図１】
2010122981.tif 000005
【図２】
2010122981.tif 000006
【図３】
2010122981.tif 000007
【図４】
2010122981.tif 000008
【図５】
2010122981.tif 000009
【図６】
2010122981.tif 000010
【国際調査報告】
2010122981.tif 000011
2010122981.tif 000012